(57)【要約】【課題】  吸殻の消火の際に、水を使用せず、しかも、消火ローラや専用のモータなどを用いないで、吸殻の消火を実現する。【解決手段】  スクリュウケース３内のスクリュウ４を駆動モータ５によって回転させ、スクリュウケース３内の吸殻７をスクリュウ４のスクリュウ羽根８の回転によってスクリュウケース３の排出口９に送り出すスクリュウ式の吸殻排出装置１において、排出口９寄りのスクリュウケース３内に火消板１４をスクリュウ４に対して進退自在に回り止め状態で配置し、火消板１４を付勢手段としてのスプリング１５によりスクリュウ４による吸殻７の送り方向と逆方向に付勢して、吸殻消火装置１を構成し、スクリュウ羽根８と火消板１４との間で吸殻７を挟み込み、吸殻７をつぶして消火する。【選択図】図１
2012081155.tif 000002
【特許請求の範囲】
【請求項１】
スクリュウケース内のスクリュウを駆動モータによって回転させ、スクリュウケース内に落下する吸殻をスクリュウのスクリュウ羽根の回転によってスクリュウケースの排出口に送り出すスクリュウ式の吸殻排出装置において、排出口寄りのスクリュウケース内に火消板をスクリュウに対して進退自在に回り止め状態で配置し、火消板を付勢手段によりスクリュウによる吸殻の送り方向と逆方向に付勢して、スクリュウ羽根と火消板との間で、吸殻を挟み込み、吸殻をつぶして消火する、ことを特徴とする吸殻消火装置。
【請求項２】
スクリュウと対向する火消板の面に半径方向の凹凸を形成する、ことを特徴とする請求項１記載の吸殻消火装置。
【請求項３】
スクリュウ羽根の排出口寄りの端部に、スクリュウ羽根のリードよりも小さなリードの押さえ羽根を形成する、ことを特徴とする請求項１または請求項２記載の吸殻消火装置（１）。
【請求項４】
付勢手段をスプリングにより構成する、ことを特徴とする請求項１、請求項２または請求項３記載の吸殻消火装置。
【請求項５】
スプリングをコイルスプリングとし、コイルスプリングおよび火消板をスクリュウのスクリュウ軸に挿入して、火消板をコイルスプリングにより付勢する、ことを特徴とする請求項４記載の吸殻消火装置。
【発明の詳細な説明】
【技術分野】
【０００１】
本発明は、遊戯施設や喫煙室などに付設される吸殻排出装置において、吸殻排出装置の排出位置で吸殻を消火する装置に関する。
【背景技術】
【０００２】
特許文献１は、一対の消火ローラの間で吸殻を所定の力で挟むと同時に、消火ローラのスポンジ部分に含浸してある水を吸殻にしみ込ませることによって、吸殻を強制的に消火する技術を開示している。
【０００３】
上記の技術によると、吸殻の廃棄の際に、汚水の処理が必要となり、取扱も繁雑となるほか、消火ローラの回転のために、専用のモータなどの駆動源が必要となり、また水の供給のためにポンプや配管設備が不可欠である。その結果、消火装置が大型化し、複雑となっている。
【先行技術文献】
【特許文献】
【０００４】
【特許文献１】特許第４２７９３４４号公報
【発明の概要】
【発明が解決しようとする課題】
【０００５】
したがって、本発明の課題は、吸殻の消火の際に、水を使用せず、しかも、消火ローラや消火用の専用のモータなどを用いないで、吸殻の消火を実現することである。
【課題を解決するための手段】
【０００６】
上記の課題のもとに、本発明は、スクリュウ式の吸殻排出装置において、送り方向に回転しているスクリュウと吸殻の排出口に配置した火消板との間で、吸殻を挟み込み、吸殻をつぶして消火するようにしている。
【０００７】
具体的に記載すると、本発明は、スクリュウケース内のスクリュウを駆動モータによって回転させ、スクリュウケース内に落下する吸殻をスクリュウのスクリュウ羽根の回転によってスクリュウケースの排出口に送り出すスクリュウ式の吸殻排出装置において、排出口寄りのスクリュウケース内に火消板をスクリュウに対して進退自在に回り止め状態で配置し、火消板を付勢手段によりスクリュウによる吸殻の送り方向と逆方向に付勢して、吸殻消火装置を構成し、スクリュウ羽根と火消板との間で、吸殻を挟み込み、吸殻をつぶして消火するようにしている（請求項１）。
【０００８】
本発明は、前記吸殻消火装置において、スクリュウと対向する火消板の面に半径方向の凹凸を形成している（請求項２）。
【０００９】
また、本発明は、前記吸殻消火装置において、スクリュウ羽根の排出口寄りの端部にスクリュウ羽根のリードよりも小さなリードの押さえ羽根を形成している（請求項３）。
【００１０】
さらに、本発明は、前記吸殻消火装置において、付勢手段をスプリングにより構成しており（請求項４）、また、スプリングをコイルスプリングとし、このコイルスプリングおよび火消板をスクリュウのスクリュウ軸に挿入して、火消板をコイルスプリングにより吸殻の送り方向と逆方向に付勢している（請求項５）。
【発明の効果】
【００１１】
本発明に係る吸殻消火装置によると、消火用として水の使用がないため、汚水の処理が不要となり、またスクリュウ式の吸殻排出装置の駆動モータの回転力がそのまま利用できるため、スクリュウ羽根と火消板との間で吸殻をつぶして消火するときに、消火のための特別な駆動源が必要とされず、吸殻消火装置の構成が簡単化できる（請求項１）。
【００１２】
前記の吸殻消火装置において、スクリュウと対向する火消板の面に半径方向の凹凸が波状に形成されていると、スクリュウ羽根と火消板との間で吸殻のつぶし効果が高められ、吸殻の消火が一層確実となる（請求項２）。
【００１３】
また、前記の吸殻消火装置において、スクリュウ羽根の排出口寄りの端部に、スクリュウ羽根のリードよりも小さなリードの押さえ羽根が形成されていると、スクリュウの駆動モータのトルクが小さくても、押さえ羽根と火消板との間で大きなつぶし力が確保できる（請求項３）。
【００１４】
さらに、前記の吸殻消火装置において、付勢手段がスプリングによって構成されておれば、吸殻のつぶし力が当該スプリングのフックの法則にそって変位に比例する値として設定でき、多くの吸殻の存在時に、充分に大きなつぶし力が得られる（請求項４）。また、スプリングがコイルスプリングであり、コイルスプリングがスクリュウのスクリュウ軸に挿入されておれば、火消板が中心位置で安定に保持できる（請求項５）。
【図面の簡単な説明】
【００１５】
【図１】本発明に係る吸殻消火装置の要部の垂直断面図である。
【図２】本発明に係る吸殻消火装置による消火動作時の垂直断面図である。
【図３】本発明に係る他の吸殻消火装置の要部の垂直断面図である。
【図４】本発明に係る他の吸殻消火装置による消火動作時の垂直断面図である。
【発明を実施するための形態】
【００１６】
図１および図２は、本発明に係る吸殻消火装置１の一実施形態を示している。吸殻消火装置１は、遊戯施設、例えばパチンコ機列に設置されるスクリュウ式の吸殻排出装置２に組み込まれる。
【００１７】
スクリュウ式の吸殻排出装置２は、スクリュウケース３内のスクリュウ４を駆動モータ５によって回転させ、吸殻受け６から落下する吸殻７をスクリュウ４のスクリュウ羽根８の回転によってスクリュウケース３の排出口９に送り出す。スクリュウケース３および駆動モータ５は、膳板１０の下方に取り付けられている。
【００１８】
スクリュウケース３は、通常、断面Ｕ字状であり、膳板１０の下面に着脱自在に取り付けられ、膳板１０に設けられている吸殻受け６から落下する吸殻７を内部に収容する。スクリュウケース３内のスクリュウ４は、例えば２条のスクリュウ羽根８を有しており、スクリュウ羽根８と一体のスクリュウ軸１１、軸継ぎ手１２によって駆動モータ５のモータ出力軸１３に連結されている。なお、この実施形態において、スクリュウ羽根８は、単位長さのものをスクリュウ軸１１に複数通すことによって必要な長さとなっている。
【００１９】
そして、本発明に係る吸殻消火装置１は、前記クリュウ式の吸殻排出装置２において、排出口９寄りのスクリュウケース３内に円板状の火消板１４をスクリュウ４に対して進退自在に回り止め状態で配置し、火消板１４を付勢手段、例えば圧縮用のスプリング１５によりスクリュウ４による吸殻７の送り方向と逆方向に付勢するように構成されている。
【００２０】
この実施形態において、火消板１４は、中心のボス１６の中心孔１７でスクリュウ軸１１に対して進退自在に挿入され、スクリュウ４と対向する面で半径方向の凹凸１８を全周に波状として形成している。また、スプリング１５は、一例としてコイルスプリングであり、スクリュウ軸１１や、モータ出力軸１３に挿入され、一端で駆動モータ５のケーシング部分をスプリング受けとし、他端で火消板１４のボス１６に嵌まることによって、両端部分で固定されている。
【００２１】
この結果、火消板１４は、スプリング１５のねじり変形の範囲で少し回るが、ねじり変形の範囲を越えて回らないように、スプリング１５のねじり力によって回り止め状態となっている。なお、火消板１４の回り止めは、図示しないが、火消板１４とスクリュウケース３との間のスクリュウ軸１１の方向の凹凸の係り合わせ、あるいは火消板１４とスクリュウ軸１１との間の軸方向の凹凸を係り合わせることによっても、遊び回転の少ない状態として行うこともできる。
【００２２】
この実施形態において、２条のスクリュウ羽根８は、スクリュウ軸１１の方向で一定のリードとなっているが、必要に応じ排出口９寄りの端部、例えば１単位長さの部分において、スクリュウ羽根８のリードよりも小さなリードの押さえ羽根１９を有している。図示の例で、押さえ羽根１９は、一例としてスクリュウ軸１１の周り１８０度程度の範囲で形成されている。
【００２３】
図２のように、吸殻排出装置２は、スクリュウケース３内のスクリュウ４を駆動モータ５によって矢印方向、すなわち吸殻７の送り方向に回転させ、吸殻受け６から落下する吸殻７をスクリュウ羽根８の回転によってスクリュウケース３の排出口９に送り出す。このようにして、１または多数の吸殻７は、排出口９で火消板１４に当たり、その位置に溜まる。
【００２４】
そして、スクリュウ羽根８、特に押さえ羽根１９は、溜まった吸殻７を火消板１４に押し当て、さらにスプリング１５に抗して、吸殻７および火消板１４を後退させる。このとき吸殻７は、スクリュウ羽根８、特に押さえ羽根１９と火消板１４との間で挟み込まれ、スプリング１５の圧縮力を受けて、強くつぶされることによって、消火状態となる。
【００２５】
この挟み込みの際に、火消板１４は、スプリング１５に抗してねじり変形の範囲で回ったとしても、やがてねじり変形の限界となって停止するから、スクリュウ羽根８、特に押さえ羽根１９は、吸殻７を火消板１４の凹凸１８に押し当て、その凹凸１８の面でつぶしこむ。このように、吸殻７のつぶし作用は、火消板１４の凹凸１８によって一層助長される。
【００２６】
また、スクリュウ羽根８のリードよりも小さなリードの押さえ羽根１９によると、吸殻７に対するつぶし作用は、小さなトルクによっても、大きな力として行える。この結果、小さなトルクの駆動モータ５の採用が可能となる。もちろん、小さなリードの押さえ羽根１９がないときには、スクリュウ羽根８と火消板１４との間で吸殻７が挟み込まれ、つぶされることになる。
【００２７】
やがて、スクリュウケース３の内部で、火消板１４と押さえ羽根１９との間に吸殻７が多く溜まると、火消板１４は、スプリング１５に抗して後退する。火消板１４の後退によって、火消板１４がスクリュウケース３から離れると、スクリュウケース３の排出口９が開放状態となるため、火消し済みの一部の吸殻７は、排出口９から落下し、ホッパ２０を経て、図示しない回収ボックスなどに収容される。
【００２８】
図１および図２の実施形態は、駆動モータ５の側に吸殻消火装置１を設置し、吸殻７を駆動モータ５に近づく方向に引き寄せているが、図３および図４の実施形態は、駆動モータ５に対して反対側に吸殻消火装置１を設置し、吸殻７を駆動モータ５から遠ざかる方向に押し出す例である。
【００２９】
図３および図４において、スクリュウ軸１１は、スクリュウケース３の排出口９の側の一端で、軸受けブラケット２１によって支持され、他端で駆動モータ５により矢印方向に駆動されるようになっている。この実施形態においても、吸殻消火装置１は、図１および図２のものと同様に動作する。
【００３０】
いずれの実施形態においても、スプリング１５は、圧縮スプリングでなく、引きスプリングとし、図示しないが、引きスプリングをスクリュウケース３の両外側に対として配置し、スクリュウケース３と火消板１４との間に配置することもできる。また、付勢手段はスプリングに代えて、図示しないが、おもりを用い、その重力をワイヤなどによって火消板１４に作用させるように構成することもできる。
【００３１】
さらに、吸殻７は、スクリュウケース３の下方に溜まりやすいことから、スクリュウケース３の上半分を板で塞いでおき、火消板１４をスクリュウ軸１１の下方の半円部分のみを塞ぐ大きさとして構成し、その半円形状の火消板１４の上部をスクリュウ軸１１の下方のスクリュウ軸１１に対して交差方向の回動軸によってスクリュウケース３に対して回動自在に支持する構成とすることもできる。半円形状の火消板１４では、スクリュウ軸１１と干渉しないため、中心孔１７などは不要となる。
【産業上の利用可能性】
【００３２】
本発明は、遊戯場のパチンコ機を対象として開発されたが、その他の遊戯場や、喫煙室などのスクリュウ式の吸殻排出装置（吸殻回収装置）にも利用できる。
【符号の説明】
【００３３】
１  吸殻消火装置
２  吸殻排出装置
３  スクリュウケース
４  スクリュウ
５  駆動モータ
６  吸殻受け
７  吸殻
８  スクリュウ羽根
９  排出口
１０  膳板
１１  スクリュウ軸
１２  軸継ぎ手
１３  モータ出力軸
１４  火消板
１５  スプリング
１６  ボス
１７  中心孔
１８  凹凸
１９  押さえ羽根
２０  ホッパ
２１  軸受けブラケット
【図１】
2012081155.tif 000003
【図２】
2012081155.tif 000004
【図３】
2012081155.tif 000005
【図４】
2012081155.tif 000006